(57)【要約】      （修正有）【課題】本発明は、弾体を用いることなく、楽しむことができる模型銃用装着具を提供することを目的とする。【解決手段】模型銃用装着具１０は、弾体を発射させる発射機構を備えた模型銃に装着される筐体６０と、筐体６０に設けられたＬＥＤ９０と、ＬＥＤ９０から発光された光を収束して光線９６として筐体６０から射出する光学機構９８と、発射機構により生成されるエネルギーに基づいてＬＥＤ９０から光を発光させる駆動手段とを有する。【選択図】図３
2017083132.tif 000002
【特許請求の範囲】
【請求項１】
弾体を発射させる発射機構を備えた模型銃に装着される筐体と、
前記筐体に設けられた光源と、
前記光源から発光された光を収束して光線として前記筐体から射出する光学機構と、
前記発射機構により生成されるエネルギーに基づいて前記光源を発光させる駆動手段と、
を有する模型銃用装着具。
【請求項２】
前記筐体は、前記模型銃の銃口に着脱される円筒体であり、
前記光学機構から射出する光線は、前記円筒体の銃口から射出する、
請求項１に記載の模型銃用装着具。
【請求項３】
前記駆動手段は、所定値以上の空気圧又は振動でＯＮ作動する検出スイッチと、前記検出スイッチのＯＮ作動に基づいて前記光源を発光させる電気回路と、を備えている請求項１又は２に記載の模型銃用装着具。
【請求項４】
前記光源はＬＥＤであり、前記光学機構は、前記ＬＥＤからの光が入射する第１凸レンズと、前記第１凸レンズより焦点距離が長く前記第１凸レンズを通過した光が入射し前記筐体から出射させる第２凸レンズと、を備えた請求項１〜３のいずれかに記載の模型銃用装着具。
【発明の詳細な説明】
【技術分野】
【０００１】
本発明は、模型銃に取り付けられる模型銃用装着具に関する。
【背景技術】
【０００２】
従来、模型銃として電動ガンやガスガンが知られている（例えば、特許文献１参照）。
【０００３】
これらのエアガンは、トリガーを操作した際にガス蓄圧室からガスの供給を受けるように構成されており、このガスを利用して弾倉から送り出された弾丸を、インナーバレルを介して発射できるように構成されている。
【先行技術文献】
【特許文献】
【０００４】
【特許文献１】特開２００９−０１４３２７号公報
【発明の概要】
【発明が解決しようとする課題】
【０００５】
このような銃弾を使用する模型銃でバトルゲームを行う際には、防護服等を装備しなければならず、面倒であった。一方、光線銃を用いてバトルゲームを行う場合、装備は不要となるが、臨場感に欠けるという問題があった。
【０００６】
本発明は、既存のエアガン等の模型銃に組み込むことで光線銃に改造できる模型銃用装着具を提供することを目的とする。
【課題を解決するための手段】
【０００７】
本発明の第一の態様は、弾体を発射させる発射機構を備えた模型銃に装着される筐体と、前記筐体に設けられた光源と、前記光源から発光された光を収束して光線として前記筐体から射出する光学機構と、前記発射機構により生成されるエネルギーに基づいて前記光源を発光させる駆動手段と、を有する。
【０００８】
すなわち、筐体が装着された模型銃のトリガーを引くと、発射機構は、例えばシリンダーとピストンにより形成された圧縮空気を形成して弾体を発射させる為のエネルギーを生成する。他の方法としては、カートリッジの圧縮ガスを噴出させることで弾体を発射させる為のエネルギーを生成したり、スピンドルを軸方向へ作動して弾体を発射させる為のエネルギーを生成したりする構成が考えられる。
【０００９】
すると、生成されたエネルギーに基づいて駆動手段が動作し、光源を発光させる。この光源から発光された光は、光学機構で収束され、光線として筐体から射出される。このため、この光線を受光する受光部を標的に設けておけば、実際に弾体を発射しなくても、標的に着弾したか否かを標的側で判定できる。
【００１０】
また、専用の光線銃と異なり、トリガーを引いたとき、発射機構が生成するエネルギーに基づいて光線を射出する。このため、弾体を発射させたときに手に伝わる反動や耳に入る発射音などを聴覚や触覚を通じて感じることができる。そして、発射機構が生成したエネルギーを感じることで、弾体を発射させたときの臨場感や緊張感を得ることができる。
【００１１】
さらに、発射機構を備えた模型銃に模型銃用装着具を組み込むだけで、簡単に光線銃に改造できる。
【００１２】
本発明の第二の態様は、本発明の第一の態様において、前記筐体は、前記模型銃の銃口に着脱される円筒体であり、前記光学機構から射出する光線は、前記円筒体の銃口から射出する。
【００１３】
すなわち、筐体を模型銃の銃口に着脱できるため、模型銃に筐体を装着することで、弾体の代わりに光線を射出する利用形態を図ることができる。また、模型銃から筐体を取り外すことで、弾体を使用した利用形態を図ることができる。このように、模型銃の二通りの使い分けを行うことができる。
【００１４】
そして、光学機構から射出する光線は、模型銃の銃口に装着された円筒体の銃口から射出されるので、弾体を発射する場合と同様の感覚で標的を狙うことができる。
【００１５】
また、模型銃に照準器が設けられている場合には、その照準器に変更を加えることなく、光線銃として利用することができる。
【００１６】
本発明の第三の態様では、本発明の第二の態様又は第三の態様において、前記駆動手段は、所定値以上の空気圧又は振動でＯＮ作動する検出スイッチと、前記検出スイッチのＯＮ作動に基づいて前記光源を発光させる電気回路と、を備えている。
【００１７】
すなわち、例えば空気圧を利用して弾体を発射するエアガンで使用する場合、弾体を発射するためのガスが噴出され、その空気圧が所定値に達した際に検出スイッチがＯＮ作動する。これにより、電気回路によって光源を発光させる。
【００１８】
また、軸方向に作動するスピンドルの衝撃で弾体を発射させる模型銃で使用する場合、弾体を発射する動作において振動が発生する。この振動が所定値に達した際には、検出スイッチがＯＮ作動するので、電気回路によって光源を発光させる。
【００１９】
本発明の第四の態様では、本発明の第一から第三の何れかの態様において、前記光源はＬＥＤであり、前記光学機構は、前記ＬＥＤからの光が入射する第１凸レンズと、前記第１凸レンズより焦点距離が長く前記第１凸レンズを通過した光が入射し前記筐体から出射させる第２凸レンズと、を備えている。
【００２０】
すなわち、光源にはＬＥＤが使用されている。このため、レーザー光線を使用する場合と比較して、出力エネルギーが小さく、消費エネルギーが少ない。
【００２１】
このＬＥＤから出力される光は拡散するが、この光は、光学機構を構成する第１凸レンズを通過した後、第２凸レンズを介して出力される。このとき、この第２凸レンズは、第１凸レンズより焦点距離が長くなるように設定されている。このため、筐体からは、平行光に近い光が出力され、所定の光度を維持しつつより遠く標的まで届かせることができる。つまり、ＬＥＤから発せられた光をコリメータレンズと同様に平行光とすることができる。
【発明の効果】
【００２２】
本発明は上記構成としたので、既存のエアガン等の模型銃に組み込むことで光線銃に改造できる。
【図面の簡単な説明】
【００２３】
【図１】本実施形態を示す説明図で、（Ａ）は本実施形態の模型銃用装着具が模型銃に取り付けられた状態を示す図であり、（Ｂ）は模型銃の内部の状態を示す説明図である。
【図２】模型銃と模型銃用装着具との接続部を示す図であり、（Ａ）はネジ式の接続構図を示す断面図であり、（Ｂ）はバックル式の接続構造を示す説明図である。
【図３】（Ａ）は模型銃用装着具を示した断面図であり、（Ｂ）は模型銃用装着具に設けられた電気回路を示すブロック図である。
【発明を実施するための形態】
【００２４】
以下、本発明の一実施形態を図面に従って説明する。図１は、本実施形態に係る模型銃用装着具１０を示す図であり、図１（Ａ）には、模型銃用装着具１０が模型銃１２に取り付けられた状態が示されている。
【００２５】
なお、本実施形態では、模型銃１２として電動式のエアガンを使用する場合について説明するが、これに限定されるものでない。例えばトリガー操作時に、スピンドルを軸方向へ作動して弾丸等の弾体を発射する模型銃など他の模型銃で利用してもよい。
【００２６】
すなわち、この模型銃１２の銃本体１４は、弾体を送り出す銃身１４Ａと、該銃身１４Ａの基端部より延出したグリップ１４Ｂとからなる。グリップ１４Ｂと銃身１４Ａとの隅部には、グリップ１４Ｂを把持した手の指で後退操作可能なトリガー１６が設けられている。銃身１４Ａには、先端側にて上方へ突出した照星（フロントサイト）１８と、後端側にて上方へ突出した照門（リアサイト）２０とが設けられている。照星１８及び照門２０を標的に合わせた状態でトリガー１６を引くことで、銃身１４Ａの銃口から発射される弾体が標的に命中するように調整されている。
【００２７】
この模型銃１２の内部には、図１（Ｂ）に示すように、銃弾を発射するための発射機構２２がケース体２４に収容された状態で設けられている。この発射機構２２の動作を簡単に説明すると、ケース体２４に軸１６Ａで回動可能に支持されたトリガー１６の操作によりトリガースイッチ２６がオン作動してモータ２８が作動すると、ケース体２４に設けられた従動側ベベルギア３０と中間ギア３２とピニオン（図示せず）とが順に回動する。
【００２８】
ピストン３６がシリンダー３８の先端側に位置した初期段階では、ピニオンと一体的に回動するセクターギア４０の歯部４０Ａがピストン３６に設けられたラックギア４２と噛合してピストン３６を後退させる。このとき、ピストン３６は、支持軸４４に保持されたコイルスプリング４６を圧縮する。そして、ピストン３６が後退位置に達すると、歯部４０Ａの存在しないセクターギア４０の空転領域４０Ｂが上部に位置し、セクターギア４０とラックギア４２との噛合状態が解除される。すると、圧縮されたコイルスプリング４６が伸長することでピストン３６が勢いよく前進方向へ移動し、シリンダー３８からの圧縮空気がノズル４８を介してインナーバレル５０へ供給される。このとき、給弾部５２からインナーバレル５０内へ弾体が供給されていれば、この弾体が銃身１４Ａの銃身銃口から発射されるが、弾体が供給されていない状態では、圧縮空気のみが銃身銃口から噴射される。
【００２９】
この模型銃１２の銃身１４Ａの先端には、図１（Ａ）及び図２に示すように、オプションのサイレンサー（サプレッサー）を取り付けるための取付部５６が設けられている。この取付部５６は、円筒状に形成されており、前述のインナーバレル５０と連通する銃身銃口５８を形成している。この取付部５６が構成する銃身銃口５８の中心線ＣＬは、インナーバレル５０の中心線ＣＬと一致するように構成されており、インナーバレル５０からの圧縮空気が中心線ＣＬに沿って噴射されるように構成されている。
【００３０】
この取付部５６の外周面には、図２に示したように、雄ネジ部５６Ａが形成されており、この雄ネジ部５６Ａにサイレンサーの雌ねじ部を螺合して当該サイレンサーを取り付けられるように構成されている（サイレンサーについては図示省略）。また、この取付部５６には、図２（Ａ）に示したように、本実施形態の係る模型銃用装着具１０が着脱可能に取り付けられるように構成されている。
【００３１】
この模型銃用装着具１０は、図３に示すように、筐体６０を備えている。筐体６０は、円形の筒状に形成された円筒体６２を備えており、円筒体６２の基端開口には、接続部６４が設けられている。接続部６４は、円筒状の接続部本体６４Ａと、接続部本体６４Ａの長さ方向中途部から径方向外側へ延出した固定用フランジ６４Ｂとを備えている。固定用フランジ６４Ｂは、複数箇所に挿通穴が設けられており（図示省略）、挿通穴に挿通されたネジ６６が円筒体６２端部に形成された袋ナット６８に螺入された状態で円筒体６２に強固に固定されている。この状態において、接続部６４の接続部本体６４Ａと円筒体６２との中心線ＣＬが一致するように構成されており、この中心線ＣＬは模型銃用装着具１０の中心線ＣＬを構成する。
【００３２】
固定用フランジ６４Ｂより基端側へ延出した接続部本体６４Ａの基端側には、その内周面に雌ねじ部６４Ｅが形成されており、この雌ねじ部６４Ｅは、図２（Ａ）に示したように、模型銃１２の取付部５６に形成された雄ネジ部５６Ａと螺合可能に構成されている。これにより、模型銃１２の取付部５６の雄ネジ部５６Ａに模型銃用装着具１０の雌ねじ部６４Ｅを螺合することで、当該模型銃用装着具１０を模型銃１２の銃身銃口５８に着脱可能に装着できるように構成されており、装着状態において、銃身銃口５８の中心線ＣＬと模型銃用装着具１０の中心線ＣＬとが一致するように構成されている。
【００３３】
なお、本実施形態では、接続部本体６４Ａの基端側の内周面に雌ねじ部６４Ｅを形成して模型銃１２との接続構造を構成した場合について説明するが、これに限定されるものでない。例えば、取付部５６の内周面に雌ねじ部が形成された模型銃に対しては、これに螺合する雄ネジ部を接続部本体６４Ａの外周面に形成してもよい。
【００３４】
また、図２（Ｂ）に示したように、模型銃１２の先端部に側方へ突出するとともに基端側へ開口した凹部７６Ａを有する係合部７６を複数設ける一方、模型銃用装着具１０には、これらの係合部７６と係脱自在に係合するバックル７８を設ける。そして、接続部６４の基端側延出部に、銃身銃口５８の内周面に密着するＯリング６４Ｇを設け、模型銃１２と模型銃用装着具１０とを接続する接続構造を構成してもよい。この場合、模型銃用装着具１０の接続部６４を模型銃１２の銃身銃口５８に挿入した状態で、バックル７８のアーム部７８Ａを模型銃１２側へ傾倒した後、アーム部７８Ａに設けられたフック部７８Ｂの係合端７８Ｃを係合部７６の凹部７６Ａに係合して倒すことで、模型銃用装着具１０を模型銃１２に着脱可能に接続することができる。
【００３５】
接続部６４において、図３に示したように、固定用フランジ６４Ｂより先端側へ延出した先端側延出部分の先端には、スイッチ基板７２がネジ止めされており、スイッチ基板７２の基端側の面には、検出スイッチ７４が固定されている。検出スイッチ７４は、所定以上の空気圧を受けた際に弾性変形する受圧面７４Ａを有しており、銃身銃口５８から噴出された空気の圧力で受圧面７４Ａが後退し、スイッチ回路を閉じることでＯＮ作動するように構成されている。この検出スイッチ７４は、その中心が当該模型銃用装着具１０の中心線ＣＬ上に位置するように配置位置が調整されており、銃身銃口５８から噴出された空気が受圧面７４Ａの中心に到達するように構成されている。
【００３６】
ここで、検出スイッチ７４はＯＮ／ＯＦＦ式のスイッチに限定されるものではなく、例えば受圧面７４Ａをダイヤフラムで構成し、ダイヤフラムの四ヶ所に歪により抵抗値が変化する歪センサを設ける。そして、各歪センサでホイートストンブリッジ回路を形成し、対角線上の電圧変化が所定値を超えた際にＯＮ作動してオン信号を出力する検出スイッチで構成してもよい。また、圧電素子で構成し、発生した電圧をＯＮ信号とすることもできる。
【００３７】
また、トリガー１６操作時にスピンドルを軸方向へ作動して弾体を発射する模型銃に使用する場合には、スピンドルの作動に基づく所定以上の振動を検出した際にＯＮ作動する検出スイッチを用いることができる。
【００３８】
このスイッチ基板７２は、ハーネス７７を介して、制御基板７９に接続されており、制御基板７９は、その四隅が筐体６０の内側面にネジ止めされている。この制御基板７９には、電気回路８０が構成されており、制御基板７９には、電気回路８０に電源を供給するボタン電池８２が交換可能に取り付けられている。
【００３９】
この電気回路８０は、図３（Ｂ）に示すように、駆動手段を構成する制御部８６が設けられており、制御部８６はマイコンを中心に構成されている。この制御部８６には、検出スイッチ７４が接続されており、検出スイッチ７４の状態が入力されるように構成されている。
【００４０】
また、制御部８６には、ドライブ回路８８を介して光源であるＬＥＤ９０が接続されており、ドライブ回路８８は、エミッタに電源が供給されたＰＮＰトランジスタ９２で構成されている。ＰＮＰトランジスタ９２は、制御部８６からベースに”Ｌ”信号が入力された際にオン作動し、コレクタに接続されたＬＥＤ９０及び抵抗９４に通電してＬＥＤ９０を発光する。
【００４１】
そして、制御部８６は、検出スイッチ７４がオン作動して該検出スイッチ７４からオン信号を受けた際に、ＬＥＤ９０を所定時間通電して赤外線を発光する。これにより、模型銃１２の発射機構２２で生成された圧縮空気のエネルギーに基づいて、光源であるＬＥＤ９０から光を発光できるように構成されている。
【００４２】
なお、本実施形態では、光源をＬＥＤ９０で構成する場合について説明するが、これに限定されるものではなく、豆電球やレーザーダイオード等で構成してもよい。しかし、豆電球は消費電力が大きく、レーザーダイオードはレーザー光のエネルギーが大きいので、使用可能時間や安全性を考慮するとＬＥＤ９０の使用が適している。
【００４３】
制御部８６には、通信部９９が接続されており、制御部８６は、無線通信によって図外の装置本体と通信するとともに、その通信内容に応じてＬＥＤ９０の発光を制御できるように構成されている。なお、光線の発射回数を表示する表示部を制御部８６に接続してもよい。
【００４４】
この制御基板７９の先端側には、図３（Ｂ）に示したように、光源であるＬＥＤ９０から発光された光を収束して光線９６として当該筐体６０から射出する光学機構９８が設けられている。
【００４５】
この光学機構９８は、円筒状のケーシング１００を備えており、ケーシング１００は、四ヶ所が筐体６０の内面にネジ止めされ、耐衝撃性が高められている。このケーシング１００の基端には、支持板１１０が設けられており、支持板１１０の中心部には、ＬＥＤ９０の発光部９０Ａが固定されている。この発光部９０Ａの先端側には、第１凸レンズ１１２が設けられており、第１凸レンズ１１２は、外周部が第１リング部材１１２Ａによってケーシング１００に固定されている。これにより、当該第１凸レンズ１１２は、ＬＥＤ９０から発光された光が入射する位置に配置されている。
【００４６】
第１凸レンズ１１２の先端側には、第２凸レンズ１１４が設けられており、第２凸レンズ１１４は、第１凸レンズ１１２より大径で、第１凸レンズ１１２より焦点距離が長くなるように構成されている。第２凸レンズ１１４は、外周部が第２リング部材１１４Ａによってケーシング１００に固定されており、当該第２凸レンズ１１４は、第１凸レンズ１１２を通過した光が入射する位置に配置されている。
【００４７】
これにより、ＬＥＤ９０より拡散した光は、第１凸レンズ１１２及び第２凸レンズ１１４を通過することで、平行光に近い光線９６として出力されるように構成されている。また、ＬＥＤ９０と第１凸レンズ１１２と第２凸レンズ１１４とをケーシング１００に設けてユニット化することで、衝撃入力時の各部の位置ずれを防止する。また、ケーシング１００を筐体６０に強固に固定することで、筐体６０との相対的な位置ずれを防止できるように構成されている。
【００４８】
ケーシング１００の先端には、径方向外側へ延出するフランジ１００Ａが形成されており、フランジ１００Ａには、円形板１１８が面接触した状態でネジ止めされている。この円形板１１８の中央部には、円形の開口部が設けられており、円形板１１８の外周部が当該模型銃用装着具１０の筐体６０先端に固定された状態で、この開口部が銃口１２０を形成するように構成されている。
【００４９】
これにより、第２凸レンズ１１４を通過した光線９６は、この銃口１２０を介して筐体６０から出射される。また、ＬＥＤ９０と第１凸レンズ１１２と第２凸レンズ１１４とを有した光学機構９８の光軸は、この銃口１２０の中央部を通過するとともに、模型銃用装着具１０の中心線ＣＬと一致するように構成されている。
【００５０】
以上の構成にかかる本実施形態の作用を説明する。この模型銃用装着具１０を使用する際には、模型銃１２の取付部５６に模型銃用装着具１０の接続部６４を螺合し、模型銃用装着具１０を模型銃１２に装着する。これにより、模型銃用装着具１０の中心線ＣＬを、模型銃１２に設けられたインナーバレル５０の中心線ＣＬと一致させることができる。
【００５１】
この状態において、弾丸を装填せずに模型銃用装着具１０の筐体６０が装着された模型銃１２のトリガー１６を引くと、弾体を発射させる発射機構２２は、圧縮空気からなるエネルギーを生成し銃身銃口５８から噴出する。すると、この圧縮空気に基づいて駆動手段を構成する検出スイッチ７４がＯＮ作動し、これを検出した電気回路８０を構成する制御部がＬＥＤ９０を所定時間点灯する。このＬＥＤ９０から発光された光は、光学機構９８の第１凸レンズ１１２及び第２凸レンズ１１４を通過する際に収束され、平行光に近い光線９６として筐体６０から射出される。
【００５２】
このため、この光線９６を受光する受光部を標的に設けておけば、実際に弾体を発射しなくても、標的に着弾したか否かが標的側にて判定することができる。
【００５３】
ここで、本実施形態では、シリンダー３８とピストン３６で形成した圧縮空気を利用して弾体を発射するエアガンで使用する場合について説明したが、これに限定されるものではない。例えば、カートリッジに収容された圧縮ガスを噴出して弾体を発射させる模型銃や、手でポンプをコッキングする方式のボルトアクション式の狙撃銃であっても前述と同様の構成でＬＥＤ９０を発光できる。また、スピンドルを軸方向へ作動して弾体を発射させる模型銃の場合、スピンドル作動時に生ずる振動が所定値に達した際にＯＮ作動する検出スイッチを用いることにより、ＬＥＤ９０を発光させることができる。
【００５４】
また、専用の光線銃と異なり、トリガー１６を引いたとき、発射機構２２が生成する圧縮空気のエネルギーに基づいて光線９６を射出するため、弾体を発射させたときに手に伝わる圧縮空気の反動や耳に入る発射音などを聴覚や触覚を通じて感じることができる。そして、発射機構２２が生成したエネルギーを感じることで、弾体を発射させたときの臨場感や緊張感を得ることができる。
【００５５】
さらに、発射機構２２を備えた模型銃１２に模型銃用装着具１０を装着するだけで、簡単に光線銃に改造できる。
【００５６】
ここで、この模型銃用装着具１０の筐体６０を模型銃１２の銃身銃口５８に着脱できる。このため、模型銃１２に筐体６０を装着することで、弾体の代わりに光線９６を射出する利用形態を図ることができる。一方、模型銃１２から筐体６０を取り外すことで、弾体を使用した利用形態を図ることができる。このように、模型銃の二通りの使い分けを行うことができる。
【００５７】
そして、光学機構９８から射出する光線９６は、模型銃１２の銃身銃口５８に装着された筐体６０を構成する円筒体６２の銃口１２０から射出されるので、弾体を発射する場合と同様の感覚で標的を狙うことができる。また、模型銃１２に予め設けられた照星１８及び照門２０を他の照準器に変更することなく、光線銃として利用することができる。
【００５８】
また、光源には赤外線を発光するＬＥＤ９０が使用されている。このため、レーザー光線を使用する場合と比較して、出力エネルギーが小さい。これにより、サングラスやゴーグルなど特別な装備を行うことなく、手軽に使用することができる。また、豆電球を使用する場合と比較して、消費電力を抑えることができ、長時間にわたって使用することができる。
【００５９】
このＬＥＤ９０から出力される光は拡散するが、この光は、光学機構９８を構成する第１凸レンズ１１２を通過した後、第２凸レンズ１１４を介して出力される。このとき、この第２凸レンズ１１４は、第１凸レンズ１１２より焦点距離が長くなるように設定されている。このため、筐体６０からは、平行光に近い光線９６が出力され、所定の光度を維持しつつより遠く標的まで届かせることができる。
【００６０】
この模型銃用装着具１０が装着された模型銃１２の使用例としては、シューティングゲームや戦闘訓練、サバイバルゲーム等の対戦ゲームが考えられる。
【００６１】
すなわち、利用者は、受光センサが設けられたヘルメットやベストを着用し対戦を行う。対戦時には、敵チームの兵士が着用したヘルメットやベストの受光センサを狙って模型銃１２から光線９６を発射する。この光線９６が受光センサに当たった際には、受光センサがＯＮ作動しヘルメット又はベストに設けられた装置本体に伝達される。
【００６２】
装置本体では、受光センサでの受光回数をカウントし、設定値である１０回に達するまでは、模型銃１２による光線９６の発射可能状態を継続する。一方、受光回数が１０回に達した場合、装置本体は、模型銃用装着具１０の通信部９９へ停止信号を無線で送信する。このとき、受光センサが設けられた位置毎にダメージ値を設定し、そのダメージ値の加算値に基づいて停止信号を送信することも可能である。
【００６３】
この停止信号は、通信部９９を介して制御部８６に伝達され、制御部８６では、装置本体からのリセット信号を受信するまで、検出スイッチ７４に基づくＬＥＤ９０の発光を停止する。これにより、所定回数以上被弾した兵士は模型銃１２の使用が禁止され敗者となる。
【００６４】
このように、屋外で使用する際には、模型銃１２に模型銃用装着具１０を装着するだけで光線銃として利用することができ、使用した弾体の回収が不要となり利便性が向上する。また、弾体を使用しないため、ゴーグル等の装備が不要となるとともに、着弾時に着色される弾体を使用する場合と比較して、専用服に着替えを行うことなく、対戦ゲームを楽しむことができる。
【００６５】
そして、光源にはＬＥＤ９０が使用されている。このため、高エネルギーのレーザー光線を使用する場合と比較して、サングラスなどの装備も不要となる。さらに、レーザー光線や弾体を用いる場合のように、使用にあたり年齢制限が無く、子供でも楽しむことができる。
【００６６】
なお、本実施形態では、模型銃用装着具１０が模型銃１２の取付部５６に取り付けられる場合を例に挙げて説明したが、これに限定されるものではない。例えば、この模型銃用装着具１０は、模型銃１２のインナーバレル５０やアウターバレルに取り付けられるものであってもよく、フラッシュライトやレーザーサイトや照準器などの部品に組み込まれるものであってもよい。
【符号の説明】
【００６７】
１０  模型銃用装着具
１２  模型銃
２２  発射機構
５８  銃身銃口、
６０  筐体
６２  円筒体
７４  検出スイッチ
８０  電気回路
８６  制御部
９０  ＬＥＤ
９６  光線
９８  光学機構
１１２  第１凸レンズ
１１４  第２凸レンズ
１２０  銃口
【図１】
2017083132.tif 000003
【図２】
2017083132.tif 000004
【図３】
2017083132.tif 000005